(57)【要約】【課題】ドライバーの個数の増大を抑えつつ、水平走査期間を短縮可能にする。【解決手段】データ線駆動回路３０は、表示すべき階調に応じた大きさの画像信号を階調表示期間においてデータ線１４を介して画素ＰＩＸに供給すると共に、階調表示期間前のプリチャージ期間に、低電位第２電圧と高電位第２電圧とを含むプリチャージ電圧をデータ線に供給する。極性反転部３０３は、一垂直走査期間毎に画素に印加される電圧の極性を正極性と負極性とに反転させ、制御回路４０は、正極性における高電位第２電圧としてのプリチャージ電圧Ｖｐｐ２の供給期間よりも、負極性における高電位第２電圧としてのプリチャージ電圧Ｖｐｍ２の供給期間を短くするように制御する。【選択図】図７
2018054877.tif 000002
【特許請求の範囲】
【請求項１】
複数の走査線と、
複数のデータ線と、
前記複数の走査線および前記複数の走査線の交差に各々対応して設けられた画素と、
前記走査線に走査信号を供給する走査線駆動部と、
第１期間に、表示すべき階調に応じた大きさの第１電圧を前記画素に前記データ線を介して供給すると共に、前記第１期間前の第２期間に、低電位第２電圧と高電位第２電圧とを含む第２電圧を前記データ線に供給するデータ線駆動部と、
一垂直走査期間毎に前記画素に印加される電圧の極性を正極性と負極性とに反転させる極性反転部と、
前記正極性における前記高電位第２電圧の供給期間よりも、前記負極性における前記高電位第２電圧の供給期間を短くするように、前記データ線駆動部を制御する制御部と、を備える、
ことを特徴とする電気光学装置。
【請求項２】
前記データ線駆動部は、電圧増幅部とＤ／Ａ変換部とを含む、
ことを特徴とする請求項１に記載の電気光学装置。
【請求項３】
前記第１期間は階調表示期間を含み、前記第２期間は帰線期間を含み、前記第２電圧はプリチャージ電圧を含む、
ことを特徴とする請求項１または請求項２に記載の電気光学装置。
【請求項４】
前記データ線駆動部と前記データ線との間に、前記データ線を時分割で選択するデータ線選択部をさらに備える、
ことを特徴とする請求項１ないし請求項３のいずれか一に記載の電気光学装置。
【請求項５】
複数の走査線と、複数のデータ線と、前記複数の走査線および前記複数の走査線の交差に各々対応して設けられた画素と、を備える電気光学装置の制御方法であって、
前記走査線に走査信号を供給し、
第１期間に表示すべき階調に応じた大きさの第１電圧を前記画素に前記データ線を介して供給し、
前記第１期間前の第２期間に、低電位第２電圧と高電位第２電圧とを含む第２電圧を前記データ線に供給し、
一垂直走査期間毎に前記画素に印加される電圧の極性を正極性と負極性とに反転させ、
前記正極性における前記高電位第２電圧の供給期間よりも、前記負極性における前記高電位第２電圧の供給期間を短くする、
ことを特徴とする電気光学装置の制御方法。
【請求項６】
請求項１ないし請求項４のいずれか一に記載の電気光学装置を備えることを特徴とする電子機器。
【発明の詳細な説明】
【技術分野】
【０００１】
本発明は、液晶装置等の電気光学装置、電気光学装置の制御方法、および電子機器に関する。
【背景技術】
【０００２】
液晶素子を用いて画像を表示させる電気光学装置が広く開発されている。この電気光学装置では、各画素の表示階調を指定する画像信号の電圧を、データ線を介して各画素に供給することで、各画素が具備する液晶の透過率を画像信号の指定階調に応じた透過率に制御し、これにより、各画素に画像信号の指定する階調を表示させる。
【０００３】
ところで、各画素に画像信号の電圧を供給する時間を十分に確保できない場合等、各画素への前記電圧の供給が不十分な場合には、各画素が画像信号の指定する階調を正確に表示することができなくなり、表示品位が低下することがある。このような画素に対する画像信号の電圧の書込不足による表示品位の低下という問題に対応するために、従来は次のような対策が行われていた。例えば、特許文献１では、各画素やデータ線に対して、画像信号の電圧に近い電圧のプリチャージ信号を、画像信号を供給する前に出力することで、各画素に対する画像信号の電圧の書き込みを容易にする技術が提案されている。
【０００４】
プリチャージ信号は、画像信号の出力前に、予め全てのＶＩＤ信号線またはデータ線に出力され、ＶＩＤ信号線またはデータ線に所定のプリチャージ電圧を書き込んでおくための補助的な信号である。プリチャージ信号を出力する期間はプリチャージ期間と呼ばれており、このプリチャージ期間に所定のプリチャージ電圧を書き込むことで、画像信号の電圧の書き込みを補助したり、あるいは、画質の改善を行っている。
【０００５】
プリチャージ信号を用いる技術においては、画像信号の電圧に近い高電圧のプリチャージ信号を供給する前に、低電圧のプリチャージ信号を供給する２段プリチャージ駆動と呼ばれる駆動方式も提案されている（例えば、特許文献１）。２段プリチャージ駆動によれば、画質の改善と書き込み補助の両立を図ることができる。
【先行技術文献】
【特許文献】
【０００６】
【特許文献１】特開２０１０−１０２２１７号公報
【発明の概要】
【発明が解決しようとする課題】
【０００７】
しかし、電気光学装置の高解像度化に伴って走査線およびデータ線の本数の増大により、水平走査期間を短くする必要があり、その結果、プリチャージ信号を供給するプリチャージ期間を十分に確保できなくなるという傾向がある。
【０００８】
本発明は、例えば上記課題に鑑みてなされたものであり、プリチャージ期間を十分に確保しつつ、水平走査期間を短縮可能で、高解像で高品位な表示が可能な電気光学装置、電気光学装置の制御方法、および該電気光学装置を備えた電子機器を提供することを課題とする。
【課題を解決するための手段】
【０００９】
上記課題を解決するために本発明の電気光学装置の一態様は、複数の走査線と、複数のデータ線と、前記複数の走査線および前記複数の走査線の交差に各々対応して設けられた画素と、前記走査線に走査信号を供給する走査線駆動部と、第１期間に表示すべき階調に応じた大きさの第１電圧を前記画素に前記データ線を介して供給すると共に、前記第１期間前の第２期間に、低電位第２電圧と高電位第２電圧とを含む第２電圧を前記データ線に供給するデータ線駆動部と、一垂直走査期間毎に前記画素に印加される電圧の極性を正極性と負極性とに反転させる極性反転部と、前記正極性における前記高電位第２電圧の供給期間よりも、前記負極性における前記高電位第２電圧の供給期間を短くするように、前記データ線駆動部を制御する制御部と、を備える、ことを特徴とする。
【００１０】
この態様によれば、データ線駆動部から表示すべき階調に応じた大きさの第１電圧が第１期間にデータ線を介して画素に供給され。また、第１電圧の供給前には、第１期間前の第２期間に、低電位第２電圧と高電位第２電圧とを含む第２電圧がデータ線に供給される。また、第２電圧として低電位第２電圧と高電位第２電圧とを順次供給することにより、画質の改善と書込み補助との両方が実現される。また、この態様では、画素に印加される電圧の極性は、正極性と負極性とに反転される。極性の正負は、画素に印加される電圧の中心電圧を基準とした電圧の高さで定義され、前記中心電圧よりも高い電圧は正極性とされ、前記中心電圧よりも低い電圧は負極性とされる。したがって、例えば、負極性における低電位第２電圧と高電位第２電圧との電圧差は、正極性における低電位第２電圧と高電位第２電圧との電圧差よりも小さくなる。したがって、負極性における高電位第２電圧の供給期間を、正極性における高電位第２電圧の供給期間よりも短くした場合でも、高電位第２電圧をデータ線に対して十分に供給することができる。そこで、この態様においては、正極性における高電位第２電圧の供給期間よりも、負極性における高電位第２電圧の供給期間を短くするように制御を行う。その結果、負極性の期間においては水平走査期間を短縮することが可能となる。以上のように、この態様によれば、プリチャージ期間を十分に確保しつつ、水平走査期間を短縮でき、高解像で高品位な表示を行うことができる。
【００１１】
上述した電気光学装置の一態様において、前記データ線駆動部は、電圧増幅部とＤ／Ａ変換部とを含むようにしてもよい。この態様によれば、第１期間においては、階調を表すデジタルデータがＤ／Ａ変換部によってアナログの第１電圧に変換され、電圧増幅部によってデータ線に出力される。また、第２期間においては、画質の改善のための低電位第２電圧と、書き込み補助のための高電位第２電圧とを含む第２電圧を表すデジタルデータがＤ／Ａ変換部によってアナログの第２電圧に変換され、電圧増幅部によってデータ線に供給される。したがって、高電位第２電圧を表すデジタルデータが適宜のタイミングで供給され、高電位第２電圧のデータ線への供給期間を適宜に制御することにより、上述のように正極性と負極性とで、高電位第２電圧の供給期間を変えることができる。
【００１２】
上述した電気光学装置の一態様において、前記第１期間は階調表示期間を含み、前記第２期間は帰線期間を含み、前記第２電圧はプリチャージ電圧を含むようにしてもよい。この態様によれば、階調表示期間において第１電圧がデータ線を介して画素に書き込まれ、帰線期間においてプリチャージ電圧がデータ線に書き込まれる。したがって、画素に対する第１電圧の書き込み期間を十分に確保しつつ、データ線へのプリチャージ電圧の書き込み期間を確保することができる。
【００１３】
上述した電気光学装置の一態様において、前記データ線駆動部と前記データ線との間に、前記データ線を時分割で選択するデータ線選択部をさらに備えるようにしてもよい。この態様によれば、データ線選択部によりデータ線が時分割で選択されるので、高解像度に対応して画素数、即ち走査線の数およびデータ線の数が多い場合でも、上述のように一水平走査期間を短縮できる。その結果、第１電圧および第２電圧を確実に書き込むことが可能となる。
【００１４】
上記課題を解決するために本発明の電気光学装置の制御方法の一態様は、複数の走査線と、複数のデータ線と、前記複数の走査線および前記複数の走査線の交差に各々対応して設けられた画素と、を備える電気光学装置の制御方法であって、第１期間に、前記走査線に走査信号を供給し、表示すべき階調に応じた大きさの第１電圧を前記画素に前記データ線を介して供給し、前記第１期間前の第２期間に、低電位第２電圧と高電位第２電圧とを含む第２電圧を前記データ線に供給し、一垂直走査期間毎に前記画素に印加される電圧の極性を正極性と負極性とに反転させ、前記正極性における前記高電位第２電圧の供給期間よりも、前記負極性における前記高電位第２電圧の供給期間を短くする、ことを特徴とする。
【００１５】
この態様によれば、データ線駆動部から表示すべき階調に応じた大きさの第１電圧が第１期間にデータ線を介して画素に供給され。また、第１電圧の供給前には、第１期間前の第２期間に、低電位第２電圧と高電位第２電圧とを含む第２電圧がデータ線に供給される。また、第２電圧として低電位第２電圧と高電位第２電圧とを順次供給することにより、画質の改善と書込み補助との両方が実現される。また、この態様では、画素に印加される電圧の極性は、正極性と負極性とに反転される。極性の正負は、画素に印加される電圧の中心電圧を基準とした電圧の高さで定義され、前記中心電圧よりも高い電圧は正極性とされ、前記中心電圧よりも低い電圧は負極性とされる。したがって、例えば０Ｖを基準として考えた場合には、負極性における低電位第２電圧と高電位第２電圧との電圧差は、正極性における低電位第２電圧と高電位第２電圧との電圧差よりも小さくなる。したがって、負極性における高電位第２電圧の供給期間を、正極性における高電位第２電圧の供給期間よりも短くした場合でも、高電位第２電圧をデータ線に対して十分に供給することができる。そこで、この態様においては、正極性における高電位第２電圧の供給期間よりも、負極性における高電位第２電圧の供給期間を短くするように制御を行う。その結果、負極性の期間においては水平走査期間を短縮することが可能となる。以上のように、この態様によれば、プリチャージ期間を十分に確保しつつ、水平走査期間を短縮でき、高解像で高品位な表示を行うことができる。
【００１６】
次に、本発明に係る電子機器は、上述した本発明に係る電気光学装置を備える。そのような電子機器は、液晶ディスプレイ等の表示装置において、一水平走査期間が短縮されるので、第１電圧および第２電圧を確実に書き込むことができ、画像品質の高い電子機器が提供される。
【図面の簡単な説明】
【００１７】
【図１】本発明の一実施形態に係る電気光学装置の説明図である。
【図２】同実施形態に係る電気光学装置の構成を示すブロック図である。
【図３】画素の構成を示す回路図である。
【図４】データ線駆動回路の構成を示すブロック図である。
【図５】正極性駆動におけるデータ線駆動回路の出力波形の概略を示す図である。
【図６】負極性駆動におけるデータ線駆動回路の出力波形の概略を示す図である。
【図７】駆動用集積回路のタイミングチャートである。
【図８】電子機器の一例を示す説明図である。
【図９】電子機器の他の例を示す説明図である。
【図１０】電子機器の他の例を示す説明図である。
【発明を実施するための形態】
【００１８】
本発明の一実施形態について図１から図７を参照しつつ説明する。図１は電気光学装置１に対する信号伝送系の構成を示す図である。図１に示すように、電気光学装置１は、電気光学パネル１００と、駆動用集積回路（ドライバーＩＣ）２００と、フレキシブル回路基板３００とを備え、電気光学パネル１００が、駆動用集積回路２００の搭載されたフレキシブル回路基板３００に接続されている。電気光学パネル１００は、このフレキシブル回路基板３００および駆動用集積回路２００を介して、図示しないホストＣＰＵ装置の基板に接続されている。駆動用集積回路２００は、ホストＣＰＵ装置からフレキシブル回路基板３００を介して画像信号および駆動制御のための各種の制御信号を受信し、フレキシブル回路基板３００を介して電気光学パネル１００を駆動する装置である。
【００１９】
図２は、電気光学パネル１００及び駆動用集積回路２００の構成を示すブロック図である。図２に示すように、電気光学パネル１００は、画素部１０と、走査線駆動部としての走査線駆動回路２２と、データ線選択部としてのＪ個のデマルチプレクサー５７[１]〜５７[Ｊ]とを備えている（Jは自然数）。駆動用集積回路２００は、データ線駆動部としてのデータ線駆動回路３０と、制御部としての制御回路４０と、アナログ電圧生成回路７０とを備えている。
【００２０】
画素部１０には、相互に交差するＭ本の走査線１２とＮ本のデータ線１４とが形成されている（Ｍ，Ｎは自然数）。複数の画素回路（画素）ＰＩＸは、各走査線１２と各データ線１４との交差に対応して設けられており、縦Ｍ行×横Ｎ列の行列状に配列されている。
【００２１】
図３は、各画素回路ＰＩＸの回路図である。図３に示すように、各画素回路ＰＩＸは、液晶素子６０とＴＦＴ等のスイッチング素子ＳWとを含む。液晶素子６０は、相互に対向する画素電極６２およびコモン電極６４と両電極間の液晶６６とで構成された電気光学素子である。画素電極６２とコモン電極６４との間の印加電圧に応じて液晶６６の透過率（表示階調）が変化する。なお、液晶素子６０に並列に補助容量を接続した構成も採用され得る。スイッチング素子ＳWは、例えば、走査線１２にゲートが接続されたＮチャネル型のトランジスターで構成され、液晶素子６０とデータ線１４との間に設けられ両者の電気的な接続（導通／非導通）を制御する。走査信号Ｇ[m]が選択電位に設定されることで第ｍ行の各画素回路ＰＩＸにおけるスイッチング素子ＳWが同時にオン状態に遷移する（ｍは、１〜Ｍの自然数）。
【００２２】
画素回路ＰＩＸに対応する走査線１２が選択され、当該画素回路ＰＩＸのスイッチング素子ＳWがオン状態に制御されたとき、液晶素子６０には、データ線１４から当該画素回路ＰＩＸに供給されるデータ信号Ｄ[n]に応じた電圧が印加される（ｎは１〜Ｊの自然数）。その結果、当該画素回路ＰＩＸの液晶６６は、データ信号Ｄ[n]に応じた透過率に設定される。また、図示しない光源がオン（点灯）状態となり、光源から光が出射されると、当該光は、画素回路ＰＩＸが備える液晶素子６０の液晶６６を透過して、観察者側に進行する。すなわち、液晶素子６０にデータ信号Ｄ[n]に応じた電圧が印加され、且つ、光源がオン状態となることで、当該画素回路ＰＩＸに対応する画素は、データ信号Ｄ[n]に応じた階調を表示することになる。
【００２３】
画素回路ＰＩＸの液晶素子６０にデータ信号Ｄ[n]に応じた電圧が印加された後、スイッチング素子ＳWがオフ状態となると、理想的には当該データ信号Ｄ[n]に対応する印加電圧が保持される。従って、理想的には、各画素は、スイッチング素子ＳWがオン状態となった後から、次にオン状態となるまでの期間において、データ信号Ｄ[n]に応じた階調を表示する。
【００２４】
図３に示すように、データ線１４と画素電極６２との間（または、データ線１４と、画素電極６２及びスイッチング素子ＳWを電気的に接続する配線との間）には、容量Ｃａが寄生する。そのため、スイッチング素子ＳWがオフ状態である間に、データ線１４の電位変動が容量Ｃａを介して画素電極６２に伝播し、液晶素子６０の印加電圧が変動することがある。
【００２５】
また、コモン電極６４には、図示しないコモン線を介して、一定の電圧であるコモン電圧ＬＣＣＯＭが供給される。コモン電圧ＬＣＣＯＭとしては、データ信号Ｄ[n]の振幅の中心電圧に対して−０．５Ｖ程度の電圧が用いられる。これは、スイッチング素子ＳW等の特性によるものである。
【００２６】
本実施形態では、いわゆる焼き付きを防止するため、液晶素子６０に印加する電圧の極性を一垂直走査期間（１Ｖ）ごとに反転する極性反転駆動を採用する。この例では、データ線１４を介して画素回路ＰＩＸに供給するデータ信号Ｄ[n]のレベルを、データ信号Ｄ[n]の中心電圧に対して一垂直走査期間（１Ｖ）ごとに反転する。但し、極性を反転させる期間は任意に設定することができ、例えば、一垂直走査期間Ｖの自然数倍であってもよい。本実施形態においては、データ信号Ｄ[n]の電圧が中心電圧に対して高電圧となる場合を正極性とし、データ信号Ｄ[n]の電圧が中心電圧に対して低電圧となる場合を負極性とする。
【００２７】
説明を図２に戻す。制御回路４０には、図示しない外部のホストＣＰＵ装置から、垂直走査期間Ｖを規定する垂直同期信号Ｖｓ、水平走査期間Ｈを規定する水平同期信号Ｈｓ、ドットクロック信号ＤＣＬＫ等の外部信号が入力される。制御回路４０は、これらの信号に基づいて、走査線駆動回路２２およびデータ線駆動回路３０を同期制御する。この同期制御の下、走査線駆動回路２２及びデータ線駆動回路３０は、互いに協働して画素部１０の表示制御を行う。
通常、一つの表示画面を構成する表示データはフレーム単位で処理され、この処理期間が１フレーム期間（１Ｆ）である。フレーム期間Ｆは、一つの表示画面が１回の垂直走査で構成される場合、垂直走査期間Ｖに相当する。
【００２８】
走査線駆動回路２２は、走査信号Ｇ［１］〜Ｇ［Ｍ］をＭ本の走査線１２の各々に出力する。走査線駆動回路２２は、制御回路４０から水平同期信号Ｈｓが出力されるのに応じて、垂直走査期間Ｖ内に各走査線１２に対する走査信号Ｇ［１］〜Ｇ［Ｍ］を一水平走査期間（１Ｈ）ずつ順次アクティブレベルとする。
【００２９】
ここで、第ｍ行に対応した走査信号Ｇ［ｍ］がアクティブレベルであり、当該行に対応した走査線が選択されている期間は、第ｍ行のＮ個の画素回路ＰＩＸの各スイッチング素子ＳWがＯＮ状態となる。その結果、これらのスイッチング素子ＳWを各々介してＮ本のデータ線１４が第ｍ行のＮ個の画素回路ＰＩＸの各画素電極６２に各々電気的に接続される。
【００３０】
本実施形態では、画素部１０内のＮ本のデータ線１４は、相隣接する４本を単位としてＪ個の配線ブロックＢ［１］〜Ｂ［Ｊ］に区分されている（Ｊ＝Ｎ／４）。換言すると、データ線１４は配線ブロックＢ毎にグループ化される。デマルチプレクサー５７[１]〜５７[Ｊ]は、このＪ個の配線ブロックＢ［１］〜Ｂ［Ｊ］に各々対応している。後述するように、本実施形態では、データ線１４を４本単位で区分しているので、データ信号Ｄ[ｎ]は、４画素分のデータ電圧が含まれる。
【００３１】
データ線選択部としてのデマルチプレクサー５７［ｊ］の各々は、４個のスイッチ５８［１］〜５８［４］により構成されている（ｊは１〜Ｊの自然数）。デマルチプレクサー５７［ｊ］の各々において、４個のスイッチ５８［１］〜５８［４］の各々の一方の接点は共通接続されている。そして、デマルチプレクサー５７［ｊ］の各々の４個のスイッチ５８［１］〜５８［４］の一方の接点の共通接続点は、Ｊ本のＶＩＤ信号線１５に各々接続されている。このＪ本のＶＩＤ信号線１５は、フレキシブル回路基板３００を介して駆動用集積回路２００のデータ線駆動回路３０に接続されている。
また、デマルチプレクサー５７［ｊ］の各々において、４個のスイッチ５８［１］〜５８［４］の各々の他方の接点は、当該デマルチプレクサー５７［ｊ］に対応した配線ブロックＢ［ｊ］を構成する４本のデータ線１４に各々接続されている。
【００３２】
各デマルチプレクサー５７［ｊの４個のスイッチ５８［１］〜５８［４］のＯＮ／ＯＦＦは、４個の選択信号Ｓ１〜Ｓ４により各々切り換えられる。この４個の選択信号Ｓ１〜Ｓ４は、フレキシブル回路基板３００を介して駆動用集積回路２００の制御回路４０から供給される。ここで、例えば１個の選択信号Ｓ１がアクティブレベル、他の３個の選択信号Ｓ２〜Ｓ４が非アクティブレベルである場合には、デマルチプレクサー５７［ｊ］に各々属するＪ個のスイッチ５８［１］のみがＯＮとなる。従って、デマルチプレクサー５７［ｊ］の各々は、Ｊ本のＶＩＤ信号線１５上のデータ信号Ｄ［１］〜Ｄ［Ｊ］を各配線ブロックＢ[１]〜Ｂ[Ｊ]の１番目のデータ線１４に各々出力する。以下、同様にして、Ｊ本のＶＩＤ信号線１５上のデータ信号Ｄ［１］〜Ｄ［Ｊ］を各配線ブロックＢ[１]〜Ｂ[Ｊ]の２番目、３番目、４番目のデータ線１４に各々出力する。
【００３３】
制御回路４０は、フレームメモリーを備えており、画素部１０の解像度に相当するＭ×Ｎビットのメモリー空間を少なくとも有し、図示しない外部のホストＣＰＵ装置から入力される表示データをフレーム単位で格納・保持する。ここで、画素部１０の階調を規定する表示データは、一例として、６ビットで構成される６４階調データである。フレームメモリーより読み出された表示データは、６ビットのバスを介して、画像信号としてデータ線駆動回路３０にシリアルに転送される。
なお、制御回路４０は、少なくとも１ライン分のラインメモリーを備える構成であってもよい。この場合、前記ラインメモリーに、１ライン分の表示データを蓄えて、当該表示データを画像信号として各画素に転送することになる。
【００３４】
データ線駆動部としてのデータ線駆動回路３０は、走査線駆動回路２２と協働して、データの書込対象となる画素行毎に供給すべきデータ信号をデータ線１４に出力する。データ線駆動回路３０は、制御回路４０から出力される選択信号Ｓ１〜Ｓ４に基づいてラッチ信号を生成し、シリアルデータとして供給されたプリチャージ信号およびＮ個の６ビットの画像信号を順次ラッチする。画像信号は、４画素分ごとに時系列的な信号としてグループ化される。
【００３５】
図４は、データ線駆動回路３０の構成を示すブロック図である。データ線駆動回路３０には、図４に示すように、Ｄ／Ａ変換部としてのＤ／Ａ（Digital to Analog）変換回路３０１と、電圧増幅部３０２と、極性反転部３０３とが備えられている。Ｄ／Ａ変換回路３０１は、グループ化された画像信号と、アナログ電圧生成回路７０によって生成され、極性反転部３０３によって電圧値が設定されたアナログ電圧とに基づいてＤ／Ａ変換を行う。さらに電圧増幅部３０２は、Ｄ／Ａ変換により生成された電圧の増幅を行って所定のアナログ電圧を有するデータ信号を生成する。これにより、４画素単位で時系列化された画像信号は、所定のデータ電圧（第１電圧）を有するにデータ信号Ｄ[n]に変換される。また、プリチャージ信号は、同様にして所定のプリチャージ電圧（第２電圧）を有するプリチャージデータ信号ＰＤに変換され、そして、プリチャージデータ信号ＰＤと４画素分のデータ信号Ｄ[n]とのセットは、この順序で各ＶＩＤ信号線１５に供給される。
【００３６】
極性反転部３０３は、プリチャージデータ信号ＰＤとデータ信号Ｄ[n]との電圧の極性を、一垂直走査期間Ｖ毎に反転する。具体的には、極性反転部３０３は、プリチャージデータ信号ＰＤの電圧とデータ信号Ｄ[n]の電圧とを、データ信号Ｄ[n]の中心電圧に対して垂直走査期間Ｖごとに反転する。但し、極性を反転させる期間は任意に設定することができ、例えば、垂直走査期間Ｖの自然数倍であってもよい。本実施形態においては、データ信号Ｄ[n]が中心電圧に対して高電圧となる場合を正極性とし、データ信号Ｄ[n]が中心電圧に対して低電圧となる場合を負極性とする。極性反転部３０３は、データ電圧（第１電圧）およびプリチャージ電圧（第２電圧）の電圧値を極性に応じて設定する。
【００３７】
デマルチプレクサー５７［ｊ］の各スイッチ５８［１］〜５８［４］は、制御回路４０から出力される選択信号Ｓ１〜Ｓ４によって導通制御（ＯＮ／ＯＦＦ）され、所定のタイミングでＯＮしていく。また、プリチャージ信号の印加期間においては、制御回路４０から出力される選択信号Ｓ１〜Ｓ４によって導通制御され、デマルチプレクサー５７［ｊ］の各スイッチ５８［１］〜５８［４］は、一斉にＯＮする。
これによって、一水平走査期間（１Ｈ）において、各ＶＩＤ信号線１５に供給されたプリチャージデータ信号ＰＤと４画素分のデータ信号Ｄ[n]とは、スイッチ５８［１］〜５８［４］により時系列的にデータ線１４に出力される。
【００３８】
本実施形態では、極性反転駆動を採用しており、さらに２段プリチャージ駆動を採用しているため、プリチャージデータ信号ＰＤの電圧であるプリチャージ電圧は、４種類のプリチャージ電圧が用いられる。プリチャージとは、データ線１４にデータ信号Ｄ[n]のデータ電圧を書き込む前に、予め全てのＶＩＤ信号線１５およびデータ線１４に所定の電圧を書き込むことをいう。また、２段プリチャージ駆動とは、１段目のプリチャージと２段目のプリチャージとを含み、段階的に行うプリチャージ駆動のことをいう。１段目のプリチャージは、縦クロストークを防ぐために、プリチャージ電圧のレベルを例えば黒色表示の電圧レベル（低電位第２電圧）にするプリチャージである。２段目のプリチャージは、データ線駆動回路３０による書込み補助のために、例えば中間調の電圧レベル（高電位第２電圧）にする。
【００３９】
本実施形態では、制御回路４０により、極性反転駆動における正極性駆動における２段目のプリチャージ期間よりも、負極性駆動における２段目のプリチャー期間を短くする制御を行っている。以下、図５および図６を参照しつつ、本実施形態におけるプリチャージ駆動方式について詳しく説明する。
【００４０】
図５は、正極性駆動の際にＶＩＤ信号線１５に出力されるプリチャージデータ信号ＰＤの概略を示す図である。図６は、負極性駆動の際にＶＩＤ信号線１５に出力されるプリチャージデータ信号ＰＤの概略を示す図である。なお、図５および図６においては、便宜上、階調表示期間に出力されるデータ信号Ｄ[n]を一定の電圧として示している。
【００４１】
図５に示すように、正極性駆動の際の２段プリチャージ駆動においては、一水平走査期間（１Ｈ）は、第１期間としての階調表示期間Ｔｐｐ３と、第２期間としての帰線期間に分かれている。さらに、帰線期間は、１段目のプリチャージ期間Ｔｐｐ１と、２段目のプリチャージ期間Ｔｐｐ２と、ポストチャージ期間Ｔｐｐ４とに分かれている。なお、１段目のプリチャージは画質改善を目的として行われ、低電位第２電圧を有するプリチャージデータ信号ＰＤがＶＩＤ信号線１５に供給される。２段目のプリチャージはデータ信号Ｄ[n]のデータ電圧の書込み補助を目的として行われ、高電位第２電圧を有するプリチャージデータ信号ＰＤがＶＩＤ信号線１５に供給される。ポストチャージは、プリチャージ時の階調依存性を改善することを目的として行われる。階調表示期間Ｔｐｐ３に出力されるデータ信号Ｄ[n]のデータ電圧は、階調に応じた変動する電圧なので、データ信号Ｄ[n]のすぐ後にプリチャージを行うと、データ信号Ｄ[n]のデータ電圧とプリチャージデータ信号ＰＤのプリチャージ電圧との電圧差が変動する。その結果、プリチャージ前の階調によっては、プリチャージデータ信号ＰＤが有するプリチャージ電圧のデータ線１４への書込みを所定期間内に完了できないことも考えられる。そこで、階調表示期間Ｔｐｐ３の終了後に、プリチャージデータ信号ＰＤが有する一定のポストプリチャージ電圧をデータ線１４に書き込むことにより、プリチャージ前の階調によらずに確実なプリチャージ電圧のデータ線１４への書込みを可能にしている。
【００４２】
図６に示すように、負極性駆動の際の２段プリチャージ駆動においては、一水平走査期間（１Ｈ）は、第１期間としての階調表示期間Ｔｐｍ３と、第２期間としての帰線期間に分かれている。さらに、帰線期間は、１段目のプリチャージ期間Ｔｐｍ１と、２段目のプリチャージ期間Ｔｐｍ２と、ポストチャージ期間Ｔｐｍ４で構成される。
【００４３】
本実施形態では、極性反転部３０３により、一例として、正極性駆動における１段目のプリチャージ電圧Ｖｐｐ１は２．５Ｖに、また、中心電圧Ｖｃは７．５Ｖに設定されている。また、極性反転部３０３により、正極性駆動における２段目のプリチャージ電圧Ｖｐｐ２は１０．０Ｖに、そして正極性駆動におけるポストプリチャージ電圧Ｖｐｐ３は８．８Ｖに設定されている。また、極性反転部３０３により、負極性駆動における１段目のプリチャージ電圧Ｖｐｍ１は２．５Ｖに、そして負極性駆動における２段目のプリチャージ電圧Ｖｐｍ２は５．０Ｖに設定されている。さらに、極性反転部３０３により、負極性駆動におけるポストプリチャージ電圧Ｖｐｍ３は３．８Ｖに設定されている。なお、各電圧値はこのような電圧値に限定されるものではなく、適宜変更可能である。
【００４４】
ここで、２段目のプリチャージ電圧とその直前の電圧との電圧差について説明する。図５に示すように、正極性駆動においては、２段目のプリチャージ電圧Ｖｐｐ２の直前の電圧は、１段目のプリチャージ電圧Ｖｐｐ１であり、その電圧差ΔＶａｐは、以下のようになる。
ΔＶａｐ＝Ｖｐｐ２−Ｖｐｐ１＝１０．０−２．５＝７．５［Ｖ］
【００４５】
また、図６に示すように、負極性駆動においては、２段目のプリチャージ電圧Ｖｐｍ２の直前の電圧は、１段目のプリチャージ電圧Ｖｐｍ１であり、その電圧差ΔＶａｍは、以下のようになる。
ΔＶａｍ＝Ｖｐｍ２−Ｖｐｍ１＝５．０−２．５＝２．５［Ｖ］
【００４６】
データ線１４の容量性の負荷と抵抗性の負荷のみを考慮すると、正極性駆動における２段目のプリチャージ電圧Ｖｐｐ２の書込みに要する時間と、負極性駆動における２段目のプリチャージ電圧Ｖｐｍ２の書込みに要する時間との比は、以下のようになる。この比は、電圧差ΔＶａｐと電圧差ΔＶａｍとの比であり、次のように表される。
電圧差ΔＶａｍ／電圧差ΔＶａｐ＝２．５／７．５＝１／３
つまり、負極性駆動における２段目のプリチャージ電圧Ｖｐｍ２の書込みは、正極性駆動における２段目のプリチャージ電圧Ｖｐｐ２の書込みの１／３の時間で完了することができる。
【００４７】
そこで、本実施形態においては、制御回路４０により、負極性駆動における２段目のプリチャージ期間Ｔｐｍ２を、正極性駆動における２段目のプリチャージ期間Ｔｐｐ２よりも短くするように制御を行っている。一例として、正極性駆動における２段目のプリチャージ期間Ｔｐｐ２を２５０〜２７０ｎｓに設定しているのに対して、負極性駆動における２段目のプリチャージ期間Ｔｐｍ２を８０〜９０ｎｓに設定している。
【００４８】
このように、負極性駆動における２段目のプリチャージ期間Ｔｐｍ２を、正極性駆動における２段目のプリチャージ期間Ｔｐｐ２よりも短くすることにより、負極性における一水平走査期間（１Ｈ）を、正極性における一水平走査期間（１Ｈ）よりも短縮することができる。
【００４９】
その結果、電気光学装置１の高解像度化が図られ、データ線１４および走査線１２の本数が増大した場合であっても、プリチャージデータ信号ＰＤのプリチャージ電圧の書き込み期間を確保しつつ、短い水平走査期間Ｈで画像信号のデータ電圧をデータ線１４に書き込むことが可能となる。
【００５０】
プリチャージ期間の制御は、制御回路４０からデータ線駆動回路３０への制御信号およびプリチャージ信号の出力により実現される。データ線駆動回路３０には、ラッチ回路が含まれており、所定のタイミングで制御回路４０からデータ線駆動回路３０へプリチャージ信号を出力し、かつ、ラッチ信号を出力することにより、プリチャージ期間を所望の期間に制御することができる。
【００５１】
次に、図７を参照しつつ、本実施形態における制御の一例について説明する。図７にタイミングチャートを示す。図７に示す例では、最初の１フレーム（１Ｆ）では正極性駆動が行われ、次の１フレーム（１Ｆ）では負極性駆動が行われる例を示している。また、図７では、走査信号のうち、走査信号Ｇ［１］、Ｇ［２］、Ｇ［３］を示している。
【００５２】
制御回路４０に外部のホストＣＰＵ装置から水平同期信号Ｈｓが入力されると、制御回路４０は水平同期信号Ｈｓに同期させて走査線駆動回路２２を駆動する。走査線駆動回路２２は、１フレーム（１Ｆ）周期のＹ転送開始パルスＤＹに対応する信号を、Ｙクロック信号ＣＬＹに従って順次シフトして走査信号Ｇ［１］、Ｇ［２］、…Ｇ［Ｍ］を生成する。走査信号Ｇ［１］、Ｇ［２］、…Ｇ［Ｍ］は各水平走査期間Ｈにおいて順次アクティブとなる。データ線駆動回路３０は、水平走査周期のＸ転送開始パルスＤＸ（図示せず）とＸクロック信号ＣＬＸ（図示せず）に基づいて、サンプリングパルスＳＰ１、ＳＰ２、…ＳＰｚ（図示せず）を生成する。
【００５３】
データ線駆動回路３０は、プリチャージ信号に基づいて、所定のプリチャージ電圧を有するプリチャージデータ信号ＰＤをＶＩＤ信号線１５に出力する。また、データ線駆動回路３０は、外部のホストＣＰＵ装置から供給される表示データに対応する画像信号をサンプリングパルスＳＰ１、ＳＰ２、…ＳＰｚ（図示せず）を用いてサンプリングしてデータ信号Ｄ[１]〜Ｄ[Ｊ]を生成する。データ信号Ｄ[１]〜Ｄ[Ｊ]の電圧は、所定のデータ電圧に設定される。
制御回路４０は、水平同期信号Ｈｓに同期させて選択信号Ｓ１〜Ｓ４をデータ線駆動回路３０と各デマルチプレクサー５７［ｊ］の４個のスイッチ５８［１］〜５８［４］に出力する。データ線駆動回路３０は、出力端子ｄ１〜ｄＪからＶＩＤ信号線１５に、プリチャージデータ信号ＰＤおよびデータ信号Ｄ[１]〜Ｄ[Ｊ]を出力する。各デマルチプレクサー５７［ｊ］の４個のスイッチ５８［１］〜５８［４］は、選択信号Ｓ１〜Ｓ４に基づいてＯＮ／ＯＦＦされる。
【００５４】
制御回路４０は、水平同期信号Ｈｓがアクティブとなるタイミングｔ０から期間Ｔ０後のタイミングｔ１において、走査信号Ｇ［１］をアクティブとする。また、制御回路４０は、タイミングｔ１で、正極性駆動における低電位第２電圧を示すデータを１段目のプリチャージ信号をデータ線駆動回路３０に出力する。データ線駆動回路３０は、１段目のプリチャージ信号をサンプリングパルスＳＰ１、ＳＰ２、…ＳＰｚ（図示せず）を用いてサンプリングして正極性駆動における１段目のプリチャージ電圧Ｖｐｐ１を有するプリチャージデータ信号ＰＤ生成する。データ線駆動回路３０は、出力端子ｄ１〜ｄＪからＶＩＤ信号線１５に正極性駆動における１段目のプリチャージ電圧Ｖｐｐ１を有するプリチャージデータ信号ＰＤを出力する。
制御回路４０は、水平同期信号Ｈｓに同期させて、タイミングｔ２においてスイッチ５８［１］〜５８［４］を一斉にＯＮさせる選択信号Ｓ１〜Ｓ４を出力する。その結果、期間Ｔ１において、全てのＶＩＤ信号線１５およびデータ線１４に、正極性駆動における１段目のプリチャージ電圧Ｖｐｐ１が書き込まれる。
【００５５】
制御回路４０は、タイミングｔ２から期間Ｔ１後のタイミングｔ３において、スイッチ５８［１］〜５８［４］を一斉にＯＦＦさせる選択信号Ｓ１〜Ｓ４を出力する。期間Ｔ１が、正極性駆動における１段目のプリチャージ電圧Ｖｐｐ１の供給期間となる。
また、制御回路４０は、タイミングｔ３において、正極性駆動における高電位第２電圧に対応する２段目のプリチャージ信号をデータ線駆動回路３０に出力する。
データ線駆動回路３０は、２段目のプリチャージ信号をサンプリングパルスＳＰ１、ＳＰ２、…ＳＰｚ（図示せず）を用いてサンプリングして正極性駆動における２段目のプリチャージ電圧Ｖｐｐ２を有するプリチャージデータ信号ＰＤを生成する。データ線駆動回路３０は、出力端子ｄ１〜ｄＪからＶＩＤ信号線１５に正極性駆動における２段目のプリチャージ電圧Ｖｐｐ２を有するプリチャージデータ信号ＰＤを出力する。
制御回路４０は、水平同期信号Ｈｓに同期させて、タイミングｔ４においてスイッチ５８［１］〜５８［４］を一斉にＯＮさせる選択信号Ｓ１〜Ｓ４を出力する。その結果、全てのＶＩＤ信号線１５およびデータ線１４に、正極性駆動における２段目のプリチャージ電圧Ｖｐｐ２が書き込まれる。
【００５６】
制御回路４０は、タイミングｔ４から期間Ｔ２後のタイミングｔ５において、スイッチ５８［１］〜５８［４］を一斉にＯＦＦさせる選択信号Ｓ１〜Ｓ４を出力する。期間Ｔ２が、正極性駆動における２段目のプリチャージ電圧Ｖｐｐ２の供給期間となる。なお、タイミングｔ１からタイミングｔ５までの期間Ｔ３が正極性駆動における全プリチャージ期間となる。
また、制御回路４０は、タイミングｔ５において、外部のホストＣＰＵ装置から供給される表示データに対応する画像信号をデータ線駆動回路３０に出力する。
データ線駆動回路３０は、画像信号をサンプリングパルスＳＰ１、ＳＰ２、…ＳＰｚ（図示せず）を用いてサンプリングしてデータ信号Ｄ[１]〜Ｄ[Ｊ]を生成する。データ信号Ｄ[１]〜Ｄ[Ｊ]の電圧は、所定のデータ電圧に設定される。データ線駆動回路３０は、出力端子ｄ１〜ｄＪからＶＩＤ信号線１５にデータ信号Ｄ[１]〜Ｄ[Ｊ]を出力する。
制御回路４０は、タイミングｔ６以降、水平同期信号Ｈｓに同期させて選択信号Ｓ１〜Ｓ４をデータ線駆動回路３０と各デマルチプレクサー５７［ｊ］の４個のスイッチ５８［１］〜５８［４］に出力する。各デマルチプレクサー５７［ｊの４個のスイッチ５８［１］〜５８［４］は、選択信号Ｓ１〜Ｓ４に基づいてＯＮ／ＯＦＦされ、データ信号Ｄ[１]〜Ｄ[Ｊ]がデータ線１４に各々出力される。
ＶＩＤ信号線１５にデータ信号Ｄ[１]〜Ｄ[Ｊ]が出力されるタイミングｔ５から、選択信号Ｓ４がＯＦＦとなるタイミングｔ７までの期間Ｔ４が、階調表示期間となる。
【００５７】
制御回路４０は、選択信号Ｓ４をＯＦＦするタイミングｔ７において、正極性駆動におけるポストプリチャージ電圧に対応するポストプリチャージ信号をデータ線駆動回路３０に出力する。
選択信号Ｓ４がＯＦＦとなるタイミングｔ７から、走査信号Ｇ［２］がアクティブとなるタイミングｔ９までの期間Ｔ５は、正極性駆動におけるポストプリチャージ期間となる。ポストプリチャージ期間においては、選択信号Ｓ１〜Ｓ４はＯＦＦのままとなっている。しかし、ポストプリチャージ電圧Ｖｐｐ３をスイッチ５８［１］〜５８［４］の手前までの配線（ＶＩＤ信号線１５に相当）に対して、表示された階調によらず一定の電圧をチャージできる。その結果、表示された階調によらずに、次の水平走査期間における１段目のプリチャージ電圧Ｖｐｐ１の書込み時間を短縮できる。
【００５８】
制御回路４０は、次の水平同期信号Ｈｓがアクティブとなるタイミングｔ８から期間Ｔ６後のタイミングｔ９において、走査信号Ｇ［１］を非アクティブとし、同時に走査信号Ｇ［２］をアクティブとする。なお、走査信号Ｇ［１］がアクティブとなるタイミングｔ１から、走査信号Ｇ［２］がアクティブとなるタイミングｔ９までの期間Ｔ７が、第１行目の走査線１２に対応する一水平走査期間（１Ｈ）となる。以下、同様にして、プリチャージデータ信号ＰＤおよびデータ信号Ｄ[１]〜Ｄ[Ｊ]がデータ線１４に各々出力される。
【００５９】
正極性駆動が行われる１フレーム（１Ｆ）が終了すると、次に、負極性駆動が行われる１フレーム（１Ｆ）となる。制御回路４０は、負極性駆動が行われる１フレーム（１Ｆ）においては、外部のホストＣＰＵ装置から供給される水平同期信号Ｈｓの周期は、正極性駆動が行われる１フレーム（１Ｆ）における水平同期信号Ｈｓの周期によりも短くなっている。具体的には、負極性駆動における２段目のプリチャージ期間が、正極性駆動における２段目のプリチャージ期間よりも短縮されているので、負極性駆動における２段目のプリチャージ期間の短縮に合わせて水平同期信号Ｈｓの周期を短くしている。
制御回路４０は、水平同期信号Ｈｓがアクティブとなるタイミングｔ２０から期間Ｔ１０後のタイミングｔ２１において、走査信号Ｇ［１］をアクティブとする。また、制御回路４０は、タイミングｔ２１で、負極性駆動における低電位第２電圧に対応する１段目のプリチャージ信号をデータ線駆動回路３０に出力する。データ線駆動回路３０は、１段目のプリチャージ信号をサンプリングパルスＳＰ１、ＳＰ２、…ＳＰｚ（図示せず）を用いてサンプリングして負極性駆動における１段目のプリチャージ電圧Ｖｐｍ１を有するプリチャージデータ信号ＰＤを生成する。データ線駆動回路３０は、出力端子ｄ１〜ｄＪからＶＩＤ信号線１５に負極性駆動における１段目のプリチャージ電圧Ｖｐｍ１を有するプリチャージデータ信号ＰＤを出力する。
制御回路４０は、水平同期信号Ｈｓに同期させて、タイミングｔ２２においてスイッチ５８［１］〜５８［４］を一斉にＯＮさせる選択信号Ｓ１〜Ｓ４を出力する。その結果、期間Ｔ１１において、全てのＶＩＤ信号線１５およびデータ線１４に、負極性駆動における１段目のプリチャージ電圧Ｖｐｍ１が書き込まれる。
【００６０】
制御回路４０は、タイミングｔ２２から期間Ｔ１１後のタイミングｔ２３において、スイッチ５８［１］〜５８［４］を一斉にＯＦＦさせる選択信号Ｓ１〜Ｓ４を出力する。期間Ｔ１１が、負極性駆動における１段目のプリチャージ電圧Ｖｐｍ１の供給期間となる。
また、制御回路４０は、タイミングｔ２３において、負極性駆動における高電位第２電圧に対応する２段目のプリチャージ信号をデータ線駆動回路３０に出力する。
データ線駆動回路３０は、２段目のプリチャージ信号をサンプリングパルスＳＰ１、ＳＰ２、…ＳＰｚ（図示せず）を用いてサンプリングして負極性駆動における２段目のプリチャージ電圧Ｖｐｍ２を有するプリチャージデータ信号ＰＤを生成する。データ線駆動回路３０は、出力端子ｄ１〜ｄＪからＶＩＤ信号線１５に負極性駆動における２段目のプリチャージ電圧Ｖｐｍ２を有するプリチャージデータ信号ＰＤを出力する。
制御回路４０は、水平同期信号Ｈｓに同期させて、タイミングｔ２４においてスイッチ５８［１］〜５８［４］を一斉にＯＮさせる選択信号Ｓ１〜Ｓ４を出力する。その結果、全てのＶＩＤ信号線１５およびデータ線１４に、負極性駆動における２段目のプリチャージ電圧Ｖｐｍ２が書き込まれる。
【００６１】
制御回路４０は、タイミングｔ２４から期間Ｔ１２後のタイミングｔ２５において、スイッチ５８［１］〜５８［４］を一斉にＯＦＦさせる選択信号Ｓ１〜Ｓ４を出力する。期間Ｔ１２が、負極性駆動における２段目のプリチャージ電圧Ｖｐｍ２の供給期間となる。期間Ｔ１２は、正極性駆動における２段目のプリチャージ電圧Ｖｐｐ２の供給期間Ｔ２よりも短くなるように設定される。なお、タイミングｔ２０からタイミングｔ２５までの期間Ｔ１３が負極性駆動における全プリチャージ期間となる。
また、制御回路４０は、タイミングｔ２５において、外部のホストＣＰＵ装置から入力される表示データに対応する画像信号をデータ線駆動回路３０に出力する。
データ線駆動回路３０は、画像信号をサンプリングパルスＳＰ１、ＳＰ２、…ＳＰｚ（図示せず）を用いてサンプリングしてデータ信号Ｄ[１]〜Ｄ[Ｊ]を生成する。データ信号Ｄ[１]〜Ｄ[Ｊ]は、所定のデータ電圧に設定される。データ線駆動回路３０は、出力端子ｄ１〜ｄＪからＶＩＤ信号線１５にデータ信号Ｄ[１]〜Ｄ[j]を出力する。
制御回路４０は、タイミングｔ２６以降、水平同期信号Ｈｓに同期させて選択信号Ｓ１〜Ｓ４をデータ線駆動回路３０と各デマルチプレクサー５７［ｊ］の４個のスイッチ５８［１］〜５８［４］に出力する。各デマルチプレクサー５７［ｊ］の４個のスイッチ５８［１］〜５８［４］は、選択信号Ｓ１〜Ｓ４に基づいてＯＮ／ＯＦＦされ、データ信号Ｄ[１]〜Ｄ[Ｊ]がデータ線１４に各々出力される。ＶＩＤ信号線１５にデータ信号Ｄ[１]〜Ｄ[j]が出力されるタイミングｔ２５から、選択信号Ｓ４がＯＦＦとなるタイミングｔ２７までの期間Ｔ１４が、階調表示期間となる。
【００６２】
制御回路４０は、選択信号Ｓ４をＯＦＦするタイミングｔ２７において、負極性駆動におけるポストプリチャージ電圧に対応するポストプリチャージ信号をデータ線駆動回路３０に出力する。
選択信号Ｓ４がＯＦＦとなるタイミングｔ２７から、走査信号Ｇ［２］がアクティブとなるタイミングｔ２８までの期間Ｔ１５は、負極性駆動におけるポストプリチャージ期間となる。ポストプリチャージ期間においては、選択信号Ｓ１〜Ｓ４はＯＦＦのままとなっている。しかし、ポストプリチャージ電圧Ｖｐｍ３をスイッチ５８［１］〜５８［４］の手前までの配線（ＶＩＤ信号線１５に相当）に対して、表示された階調によらず一定の電圧をチャージできる。その結果、表示された階調によらずに、次の水平走査期間における１段目のプリチャージ電圧Ｖｐｍ１の書込み時間を短縮できる。
【００６３】
制御回路４０は、次の水平同期信号Ｈｓがアクティブになるタイミングｔ２８から期間Ｔ１６後のタイミングｔ２９において、走査信号Ｇ［１］を非アクティブとし、同時に走査信号Ｇ［２］をアクティブとする。なお、走査信号Ｇ［１］がアクティブとなるタイミングｔ２１から、走査信号Ｇ［２］がアクティブとなるタイミングｔ２９までの期間Ｔ１７が、第１行目の走査線１２に対応する一水平走査期間（１Ｈ）となる。以下、同様にして、プリチャージデータ信号ＰＤおよびデータ信号Ｄ[１]〜Ｄ[Ｊ]がデータ線１４に各々出力される。
【００６４】
以上のようにして、負極性駆動が行われる１フレーム（１Ｆ）の一水平走査期間（１Ｈ）においてプリチャージデータ信号ＰＤおよびデータ信号Ｄ[１]〜Ｄ[j]がデータ線１４に各々出力される。
【００６５】
図７から明らかなように、負極性駆動における２段目のプリチャージ電圧Ｖｐｍ２の供給期間である期間Ｔ１２は、正極性駆動における２段目のプリチャージ電圧Ｖｐｐ２の供給期間である期間Ｔ２よりも短くなるように設定している。したがって、負極性駆動における一水平走査期間(１Ｈ)である期間Ｔ１７は、正極性駆動における一水平走査期間Ｈである期間Ｔ６よりも短くなっている。しかし、正極性駆動における階調表示期間である期間Ｔ４と、負極性駆動における階調表示期間である期間Ｔ１４とは等しくなっている。また、正極性駆動におけるポストプリチャージ期間である期間Ｔ５と、負極性駆動におけるポストプリチャージ期間である期間Ｔ１５とは等しくなっている。
【００６６】
以上のように、本実施形態においては、負極性駆動における２段目のプリチャージ電圧Ｖｐｍ２の供給期間を、正極性駆動における２段プリチャージ駆動における２段目のプリチャージ電圧Ｖｐｐ２の供給期間よりも短くしている。これは、上述したように、正極性駆動における１段目のプリチャージ電圧Ｖｐｐ１と２段目のプリチャージ電圧Ｖｐｐ２との電圧差よりも、負極性駆動における１段目のプリチャージ電圧Ｖｐｍ１と２段目のプリチャージ電圧Ｖｐｍ２との電圧差が小さいためである。その結果、本実施形態によれば、負極性駆動における２段目のプリチャージ電圧Ｖｐｍ２の書き込み期間を十分に確保しつつ、負極性駆動における一水平走査期間Ｈを短くすることができる。以上のように、本実施形態によれば、正極性駆動と負極性駆動の両方において、必要な階調表示期間とポストプリチャージ期間を確保することができる。また、正極性駆動と負極性駆動の両方において、必要な２段プリチャージによる全プリチャージ期間を確保することができる。
本実施形態によれば、駆動用集積回路（ドライバーＩＣ）の駆動能力向上や個数を増大させない場合でも、プリチャージ期間を確保しつつ、一水平走査期間（１Ｈ）を短縮することが可能である。したがって、駆動用集積回路の個数を増大された場合には、より一層一水平走査期間（１Ｈ）を短縮することが可能であり、高精細な電気光学パネル１００を高品質に駆動することが可能となる。
【００６７】
＜変形例＞
本発明は、上述した各実施形態に限定されるものではなく、例えば、以下に述べる各種の変形が可能である。また、各実施形態及び各変形例を適宜組み合わせてもよいことは勿論である。
【００６８】
（１）上述した実施形態では、外部のホストＣＰＵ装置から供給される水平同期信号Ｈｓを、正極性駆動と負極性駆動に合わせて変化させた。しかし、本発明はこのような構成に限定される訳ではなく、一定の水平同期信号Ｈｓに基づいて、制御回路４０が、負極性駆動における一水平走査期間（１Ｈ）を短くする制御を行ってもよい。
【００６９】
（２）上述した実施形態においては、負極性駆動における２段目のプリチャージ期間を、正極性駆動における２段目のプリチャージ期間よりも短くする態様について説明した。しかしながら、本発明はこのような態様に限定される訳ではなく、負極性駆動においては２段目のプリチャージ期間を省略して、１段目のプリチャージ期間のみによりプリチャージを行うようにしてもよい。これは、負極性駆動における１段目のプリチャージ電圧と２段目のプリチャージ電圧との電圧差が小さいことに基づくものである。
【００７０】
（３）上述した実施形態においては電気光学材料の一例として液晶を取上げたが、それら以外の電気光学材料を用いた電気光学装置にも本発明は適用される。電気光学材料とは、電気信号（電流信号または電圧信号）の供給によって透過率や輝度といった光学的特性が変化する材料である。例えば、有機ＥＬ（ElectroLuminescent）、無機ＥＬや発光ポリマーなどの発光素子を用いた表示パネルに対しても上記実施形態と同様に本発明が適用され得る。また、着色された液体と当該液体に分散された白色の粒子とを含むマイクロカプセルを電気光学材料として用いた電気泳動表示パネルに対しても上記実施形態と同様に本発明が適用され得る。さらに、極性が相違する領域ごとに異なる色に塗り分けられたツイストボールを電気光学材料として用いたツイストボールディスプレイパネルに対しても上記実施形態と同様に本発明が適用され得る。黒色トナーを電気光学材料として用いたトナーディスプレイパネル、あるいはヘリウムやネオンなどの高圧ガスを電気光学材料として用いたプラズマディスプレイパネルなど各種の電気光学装置に対しても上記実施形態と同様に本発明が適用され得る。
【００７１】
＜応用例＞
この発明は、各種の電子機器に利用され得る。図８から図１０は、この発明の適用対象となる電子機器の具体的な形態を例示するものである。
【００７２】
図８は、電気光学装置を採用した可搬型のパーソナルコンピューターの斜視図である。パーソナルコンピューター２０００は、各種の画像を表示する電気光学装置１と、電源スイッチ２００１やキーボード２００２が設置された本体部２０１０とを具備する。
【００７３】
図９は、携帯電話機の斜視図である。携帯電話機３０００は、複数の操作ボタン３００１およびスクロールボタン３００２と、各種の画像を表示する電気光学装置１とを備える。スクロールボタン３００２を操作することによって、電気光学装置１に表示される画面がスクロールされる。本発明はこのような携帯電話機にも適用可能である。
【００７４】
図１０は、電気光学装置を採用した投射型表示装置（３板式のプロジェクター）４０００の構成を示す模式図である。この投射型表示装置４０００は、相異なる表示色Ｒ、Ｇ、Ｂに各々対応する３個の電気光学装置１（１Ｒ，１Ｇ，１Ｂ）を含んでいる。照明光学系４００１は、照明装置（光源）４００２からの出射光のうち赤色成分ｒを電気光学装置１Ｒに供給し、緑色成分ｇを電気光学装置１Ｇに供給し、青色成分ｂを電気光学装置１Ｂに供給する。各電気光学装置１は、照明光学系４００１から供給される各単色光を表示画像に応じて変調する光変調器（ライトバルブ）として機能する。投射光学系４００３は、各電気光学装置１からの出射光を合成して投射面４００４に投射する。本発明はこのような液晶プロジェクターにも適用可能である。
【００７５】
なお、本発明が適用される電子機器としては、図１、および図８から図１０に例示した機器のほか、携帯情報端末（ＰＤＡ：Ｐｅｒｓｏｎａｌ  Ｄｉｇｉｔａｌ  Ａｓｓｉｓｔａｎｔｓ）が挙げられる。その他にも、デジタルスチルカメラ，テレビ，ビデオカメラ，カーナビゲーション装置，車載用の表示器（インパネ），電子手帳，電子ペーパー，電卓，ワードプロセッサー，ワークステーション，テレビ電話，ＰＯＳ端末が挙げられる。さらに、プリンター，スキャナー，複写機，ビデオプレーヤー，タッチパネルを備えた機器等などが挙げられる。
【符号の説明】
【００７６】
１…電気光学装置、１０…画素部、１２…走査線、１４…データ線、１５…ＶＩＤ信号線、２２…走査線駆動回路、３０…データ線駆動回路、４０…制御回路、５７…デマルチプレクサー、５８…スイッチ、６０…液晶素子、６２…画素電極、６４…コモン電極、６６…液晶、７０…アナログ電圧生成回路、１００…電気光学パネル、２００…駆動用集積回路、３００…フレキシブル回路基板、３０１…Ｄ／Ａ変換回路、３０２…電圧増幅部、３０３…極性反転部、２０００…パーソナルコンピューター、３０００…携帯電話機、４０００…投射型表示装置、Ｂ…配線ブロック、ＣＬＸ…Ｘクロック信号、ＣＬＹ…Ｙクロック信号、Ｄ…データ信号、ＤＣＬＫ…ドットクロック信号、ＤＸ…Ｘ転送開始パルス、ＤＹ…Ｙ転送開始パルス、Ｇ…走査信号、Ｈｓ…水平同期信号、ＬＣＣＯＭ…コモン電圧、ＰＤ…プリチャージデータ信号、ＰＩＸ…画素回路、Ｓ１〜Ｓ４…選択信号、ＳＰ１…サンプリングパルス、ＳＰ２…サンプリングパルス、ＳW…スイッチング素子。
【図１】
2018054877.tif 000003
【図２】
2018054877.tif 000004
【図３】
2018054877.tif 000005
【図４】
2018054877.tif 000006
【図５】
2018054877.tif 000007
【図６】
2018054877.tif 000008
【図７】
2018054877.tif 000009
【図８】
2018054877.tif 000010
【図９】
2018054877.tif 000011
【図１０】
2018054877.tif 000012